(57)【要約】  本発明は、一端に電気・電子装置がそれぞれ連結される２個のケーブル、すなわち、回動体に巻き取られる一つのケーブルと、巻き取られずに固定されている他のケーブルの端部の間に回動接点構造が形成されることで、両ケーブルの間における各種の信号や電気の伝達が可能になることを特徴とする、ケーブル巻取り用リールにおける接点形成構造及びこの構造を公知のケーブル巻取り用リールに実現してなるケーブル巻取り用リールを提供する。
2007537571.tif 000002
【特許請求の範囲】
【請求項１】
ケーブルの巻取り時に回転する回動体と、ケーブルの巻取り時に回転しない固定体に第１及び第２ケーブルがそれぞれ連結され、
前記回動体及び固定体には、前記何れか一つのケーブルの端部と連結された複数の端子ピンが中心からの離隔距離を互いに異ならせて配設された第１基板と、前記他のケーブルの端部と連結された複数の環状端子が前記各端子ピンの離隔距離に対応する半径を有して同心円状に配設された第２基板と、がそれぞれ設置され、
前記第１基板及び第２基板は、前記各端子ピンと各環状端子とが互いに接触するように互いに中心が一致した状態で対向設置され、
前記第１ケーブルが巻き取られる間にも、前記第１及び第２基板に配設された各端子ピンと各環状端子との間に回動接点が形成されることで、前記第１及び第２ケーブルの間に電気や信号の導通が生じることを特徴とするケーブル巻取り用リールにおける通電のための接点形成構造。
【請求項２】
前記第１基板に配設された各端子ピンの後尾に、前記各端子ピンを第２基板側に押圧する弾性部材が設置されることで、前記第１基板に配設された各端子ピンと、前記第２基板に配設された各環状端子とが常に緊密に接触することを特徴とする請求項１に記載のケーブル巻取り用リールにおける通電のための接点形成構造。
【請求項３】
ケーブルの巻取り時に回転する回動体と、ケーブルの巻取り時に回転しない固定体に第１及び第２ケーブルがそれぞれ連結され、
前記回動体には、ホイール部材の外周面に前記第１ケーブルの端部と結束された複数の外周端子が離隔して配設された回動端子部が設置され、前記固定体には、前記第２ケーブルの端部と連結されかつ、前記回動端子部の各外周端子に外接する複数の線端子を備えた固定端子部が設置され、
前記回動端子部及び固定端子部は、前記回動端子部を形成する各外周端子の外部に固定端子部の各線端子が外接する状態で互いに結合され、
前記第１ケーブルが巻き取られる間にも、前記回動端子部及び固定端子部に配設された各外周端子と各線端子との間に回動接点が形成されることで、前記第１及び第２ケーブルの間に電気や信号の導通が生じることを特徴とするケーブル巻取り用リールにおける通電のための接点形成構造。
【請求項４】
前記各線端子は、外周端子の全体長さの相当部分を取り囲むＣ字状に弾性を有して製作され、外周端子の外周面にワンタッチ式で挟まれて結合されることを特徴とする請求項３に記載のケーブル巻取り用リールにおける通電のための接点形成構造。
【請求項５】
ケーブルの巻取り時に回転する回動体と、ケーブルの巻取り時に回転しない固定体に第１及び第２ケーブルがそれぞれ連結され、
前記回動体及び固定体には、外部構造体の内径に前記何れか一つのケーブルの端部と連結された複数の環状帯端子または端子ピンが離隔して配設された内径端子部と、前記帯端子または各端子ピンに対応して、内部構造体の外径に他のケーブルの端部と連結された複数の端子ピンまたは環状の帯端子が配設された外径端子部と、がそれぞれ設置され、
前記外部構造体及び内部構造体は、内径端子部が外径端子部に外接する形態で互いに結合され、
前記第１ケーブルが巻き取られる間にも、前記内径端子部及び外径端子部に配設された各端子ピンと各帯端子との間に回動接点が形成されることで、前記第１及び第２ケーブルの間に電気や信号の導通が生じることを特徴とするケーブル巻取り用リールにおける通電のための接点形成構造。
【請求項６】
骨格をなす本体と、該本体に貫通設置され、偏心リンク構造によって進退を繰り返すスプール軸と、該スプール軸を軸として本体の前方に設置され、外周面にケーブルの巻取り領域が形成されたスプールと、ベイルによって案内される第１ケーブルを回動作用を通して前記スプールに巻き取るローターと、前記本体に軸設され、外部操作によって回転しながら前記偏心リンク構造及びローターに作用力を提供する取っ手と、を含んで構成されたスピニングリール形態のケーブル巻取り用リールにおいて、
前記スプール及びスプール軸には、一端に第１及び第２装置部が連結された第１及び第２ケーブルの他端と連結された第１または第２基板がそれぞれ設置され、前記第１基板には、前記何れか一つのケーブルの他端と連結された複数の端子ピンが中心からの離隔距離を互いに異ならせて突出・配設され、前記第２基板には、前記他のケーブルの他端と連結された複数の環状端子が前記各端子ピンの離隔距離に対応する半径を有して同心円状に配設され、前記第１基板及び第２基板は、前記各端子ピンと各環状端子とが互いに接触するようにスプール軸を共通中心として対向構造で結合設置され、
前記スプールの外周面に第１ケーブルを巻き取る間にも、前記スプール及びスプール軸にそれぞれ設置された前記第１または第２基板に配設された前記各端子ピンと各環状端子との間には、前記第１及び第２ケーブルの間の通電のための回動接点構造が形成されることを特徴とするケーブル巻取り用リール。
【請求項７】
前記第１基板の背面から所定間隔だけ離隔した位置には、別途の支持板が設置され、該支持板には、前記各端子ピンを第２基板側に押圧する弾性部材が設置されることで、前記端子ピンと環状端子とが緊密に接触することを特徴とする請求項６に記載のケーブル巻取り用リール。
【請求項８】
骨格をなす本体と、該本体に貫通設置され、偏心リンク構造によって進退を繰り返すスプール軸と、該スプール軸を軸として本体の前方に設置され、外周面にケーブルの巻取り領域が形成されたスプールと、ベイルによって案内される第１ケーブルを回動作用を通して前記スプールに巻き取るローターと、前記本体に軸設され、外部操作によって回転しながら前記偏心リンク構造及びローターに作用力を提供する取っ手と、を含んで構成されたスピニングリール形態のケーブル巻取り用リールにおいて、
前記スプール軸に外接するスプールの内径には、一端が第１装置部と連結される前記第１ケーブルの他端と連結された各端子ピンが配設されて内径端子部を形成し、前記スプール軸の内部に中空が形成され、該中空を貫通して一端が第２装置部と連結される第２ケーブルが内設され、前記スプール軸の外径には、前記各端子ピンに対応して、前記第２ケーブルの他端と連結された環状の帯端子が配設されて外径端子部を形成し、
前記スプールの外周面に第１ケーブルを巻き取る間にも、前記スプールの内径に形成された内径端子部の各端子ピンと、スプール軸の外径に形成された外径端子部の各帯端子との間には、前記第１及び第２ケーブルの間の通電のための回動接点構造が形成されることを特徴とするケーブル巻取り用リール。
【請求項９】
骨格をなす本体と、該本体に貫通設置され、偏心リンク構造によって進退を繰り返すスプール軸と、該スプール軸を軸として本体の前方に設置され、外周面にケーブルの巻取り領域が形成されたスプールと、ベイルによって案内される第１ケーブルを回動作用を通して前記スプールに巻き取るローターと、前記本体に軸設され、外部操作によって回転しながら前記偏心リンク構造及びローターに作用力を提供する取っ手と、を含んで構成されたスピニングリール形態のケーブル巻取り用リールにおいて、
一端が第１装置部と連結される前記第１ケーブルの他端には、外周面に前記第１ケーブルの端部と連結された複数の環状帯端子が配設された外径端子部を形成したジャッキが備わり、前記スプール軸の内部に中空が形成され、該中空を貫通して第２装置部と連結される第２ケーブルが内設され、該第２ケーブルの一端には、前記外径端子部の各帯端子に対応して、内周面に複数の端子ピンが配設された内径端子部を形成し、前記ジャッキと結合されるコネクターが備わり、
前記スプールの外周面に第１ケーブルを巻き取る間にも、前記コネクターの内周面に形成された内径端子部の各端子ピンと、ジャッキの外周面に形成された外径端子部の各帯端子との間には、前記第１及び第２ケーブルの間の通電のための回動接点構造が形成されることを特徴とするケーブル巻取り用リール。
【請求項１０】
骨格をなして開口部が形成された本体と、該本体の開口部内に収容可能に設置され、自体回動しながら外周面に形成されたケーブル巻取り領域に第１ケーブルが巻き取られるように構成されたスプールと、前記本体に軸設され、外部操作によって前記スプールに回動力を提供する取っ手と、を含んで構成されたベイトキャストリール形態のケーブル巻取り用リールにおいて、
前記スプール及び本体には、一端に第１及び第２装置部がそれぞれ連結された第１及び第２ケーブルの他端と連結された回動端子部及び固定端子部がそれぞれ設置され、前記回動端子部は、ホイール部材の外周面に前記何れか一つのケーブルの端部と連結された複数の外周端子が離隔して配設されてなり、前記固定端子部は、前記他のケーブルの端部と連結された各線端子が前記回動端子部の各外周端子に外接する形態で引き出されてなり、前記回動端子部及び固定端子部は、前記回動端子部の各外周端子の外部に固定端子部の各線端子が外接する形態で結合され、
前記スプールの外周面に第１ケーブルを巻き取る間にも、前記スプール及び本体にそれぞれ設置された回動端子部及び固定端子部に配設された前記各外周端子と各線端子との間には、前記第１及び第２ケーブルの間の通電のための回動接点構造が形成されることを特徴とするケーブル巻取り用リール。
【請求項１１】
骨格をなして開口部が形成された本体と、該本体の開口部内に収容可能に設置され、自体回動しながら外周面に形成されたケーブル巻取り領域に第１ケーブルが巻き取られるように構成されたスプールと、前記本体に軸設され、外部操作によって前記スプールに回動力を提供する取っ手と、を含んで構成されたベイトキャストリール形態のケーブル巻取り用リールにおいて、
前記スプールの内部に中空が形成され、該中空の内径一側末端には、一端が第１装置部と連結される第１ケーブルの他端が連結された各端子ピンが配設される内径端子部を形成し、一端が第２装置部と連結される第２ケーブルの他端には、前記中空の一側末端に形成されたジャッキ挿入口に挿入され、前記各端子ピンに対応して、外周面に前記第２ケーブルの端部と連結された複数の環状帯端子が配設された外径端子部を形成したジャッキが備わり、
前記スプールの外周面に第１ケーブルを巻き取る間にも、前記スプールの内径に形成された内径端子部の各端子ピンと、前記ジャッキの外周面に形成された外径端子部の各帯端子との間には、前記第１及び第２ケーブルの間の通電のための回動接点構造が形成されることを特徴とするケーブル巻取り用リール。
【請求項１２】
骨格をなして開口部が形成された本体と、該本体の開口部内に収容可能に設置され、自体回動しながら外周面に形成されたケーブル巻取り領域に第１ケーブルが巻き取られるように構成されたスプールと、前記本体に軸設され、外部操作によって前記スプールに回動力を提供する取っ手と、を含んで構成されたベイトキャストリール形態のケーブル巻取り用リールにおいて、
一端が第１装置部と連結される前記第１ケーブルの他端には、外周面に前記第１ケーブルの端部と連結された複数の環状帯端子が配設された外径端子部を形成したジャッキが備わり、前記スプールの内部に中空が形成され、該中空を貫通して第２装置部と連結される第２ケーブルが内設され、前記第２ケーブルの一端には、前記ジャッキと結合され、前記外径端子部の各帯端子に対応して、内周面に複数の端子ピンが配設された内径端子部を形成したコネクターが備わり、
前記スプールの外周面に第１ケーブルを巻き取る間にも、前記コネクターの内径に形成された内径端子部の端子ピンと、ジャッキの外周面に形成された外径端子部の各帯端子との間には、前記第１及び第２ケーブルの間の通電のための回動接点構造が形成されることを特徴とするケーブル巻取り用リール。
【請求項１３】
前記内径端子部は、前記スプールに前記外径端子部に向かって所定形状の設置孔が貫通形成され、該設置孔には、前記外径端子部の各帯端子に対応して、表面に前記第１ケーブルの他端と連結された複数の端子ピンが配設された挿設体が挟まれることを特徴とする請求項８または１１に記載のケーブル巻取り用リール。
【請求項１４】
前記第２ケーブルの他端には、ジャッキ挿入口が本体の外部に露出されるように本体に固定されたコネクターが備わり、該コネクターは、前記第２装置部と直接または間接的に連結される第３ケーブルの端部に備わったジャッキと結合されることを特徴とする請求項６乃至９及び請求項１２のうち何れか一項に記載のケーブル巻取り用リール。
【発明の詳細な説明】
【技術分野】
【０００１】
本発明は、ケーブル巻取り用リールにおける通電のための接点形成構造及びこの構造を備えたケーブル巻取り用リールに関するものである。
【０００２】
特に、本発明は、一端がそれぞれ電気・電子装置に連結される２個のケーブルのうち何れか一つのケーブルをケーブル巻取り用リールに巻き取る際、ケーブルをねじれないように巻くとともに、前記ケーブルの間に形成された接点を通して、両端に設置された電気・電子装置の間に電気や信号を安定的に伝達させるための、ケーブル巻取り用リールにおける通電のための回動接点形成構造及びこの構造を公知のケーブル巻取り用リールに実現してなるケーブル巻取り用リールに関するものである。
【背景技術】
【０００３】
最近、本発明者たちは、水中及び地中の環境や状態を観察または測定するための小型撮影装備及び電子計測装備を提案しかつ、これら装備に用いられる、幾筋もの信号線と電源線とが一体化した形態の多機能ケーブルを提案したことがある。
【０００４】
前記各装備は、主に、水中や地下に直接投入されて撮影や計測を行う第一の装置部と、これら装備に外部から電源を供給したり、これら装備を制御し、その結果をモニタリングする第二の装置部とを含んでいる。そして、これら二つの装置部は、電気及び各種の信号を伝達する前記多機能ケーブルなどによって連結されて構成される。
【０００５】
上記のような装備の具体的な例として、釣り糸に用いられる前記多機能ケーブルの先端には、水中カメラが内蔵された重り兼用の撮影モジュールを連結し、前記多機能ケーブルの末端には、電源を供給するためのバッテリが内蔵されかつ、前記水中の撮影モジュールを制御するための制御パネルが形成されたディスプレイモジュールを連結することで、通常の釣り糸と同様に、前記多機能ケーブルを釣り竿に装着して、ディスプレイモジュールに表示される水中映像をモニタリングしながら釣りを楽しめる、映像システムを備えた釣り装備が挙げられる。そして、上記のような釣り装備の場合も、従来の釣り装備と同様に、釣り竿に装着されたリールを用いて前記多機能ケーブルの巻取りや解きを繰り返しながら、使用者が釣りを楽しめるようになる。
【０００６】
しかしながら、釣り糸を巻き取る用途で用いられた従来のリールには、本体に設置されたスプールの回動によって釣り糸を巻き取る構造（ベイトキャストリール）と、必要に応じて、使用者がスプールを掴んで任意に所定角度だけ回動する構造（スピニングリール）とがあり、このリールを前記多機能ケーブル巻取り用としてそのまま用いる場合、ケーブルを巻き取る際に、ディスプレイモジュールとスプールとの間でケーブルがねじれるという問題が発生する。
【０００７】
上記のようなケーブルのねじれが反復的に発生すると、安定的な通信及び通電が妨害を受け、装備に無理を与えて耐久性が弱くなるだけでなく、取り扱い上、使用者に面倒さを与えてしまう。
【発明の開示】
【発明が解決しようとする課題】
【０００８】
本発明は、上記のような問題点を解決するためになされたもので、本発明の第１の目的は、リールによって巻き取られるケーブルの両端間に信号及び電気が安定的に伝達されるように導通状態を維持しながら、ねじれを発生せずに容易にケーブルを巻き取ることのできるケーブル巻取り用リールの接点形成構造を提供することにある。
【０００９】
さらに、本発明の第２の目的は、上記のような接点形成構造を応用して、通電のための接点形成構造を備えたケーブル巻取り用リールを実現することにある。
【課題を解決するための手段】
【００１０】
本発明は、上記のようなケーブル巻取り用リールにおけるねじれ問題を、巻き取りによって回動するケーブルと、固定されているケーブルの端部の間における信号や電気の伝達を可能にする、下記の各構成の回動接点形成構造及びこの構造を備えたケーブル巻取り用リールを通して解決している。
【００１１】
したがって、本発明に係るケーブル巻き取り用リールにおける通電のための接点形成構造の第１実施形態は、ケーブルの巻取り時に回転する回動体と、ケーブルの巻取り時に回転しない固定体に第１及び第２ケーブルがそれぞれ連結され、前記回動体及び固定体には、前記何れか一つのケーブルの端部と連結された複数の端子ピンが中心からの離隔距離を互いに異ならせて配設された第１基板と、前記他のケーブルの端部と連結された複数の環状端子が前記各端子ピンの離隔距離に対応する半径を有して同心円状に配設された第２基板と、がそれぞれ設置され、前記第１基板及び第２基板は、前記各端子ピンと各環状端子とが互いに接触するように互いに中心が一致した状態で対向設置され、前記第１ケーブルが巻き取られる間にも、前記第１及び第２基板に配設された各端子ピンと各環状端子との間に回動接点が形成されることで、前記第１及び第２ケーブルの間に電気や信号の導通が生じることを特徴とする。
【００１２】
そして、本発明に係るケーブル巻き取り用リールにおける通電のための接点形成構造の第２実施形態は、ケーブルの巻取り時に回転する回動体と、ケーブルの巻取り時に回転しない固定体に第１及び第２ケーブルがそれぞれ連結され、前記回動体には、ホイール部材の外周面に前記第１ケーブルの端部と結束された複数の外周端子が離隔して配設された回動端子部が設置され、前記固定体には、前記第２ケーブルの端部と連結されかつ、前記回動端子部の各外周端子に外接する複数の線端子を備えた固定端子部が設置され、前記回動端子部及び固定端子部は、前記回動端子部を形成する各外周端子の外部に固定端子部の各線端子が外接する状態で互いに結合され、前記第１ケーブルが巻き取られる間にも、前記回動端子部及び固定端子部に配設された各外周端子と各線端子との間に回動接点が形成されることで、前記第１及び第２ケーブルの間に電気や信号の導通が生じることを特徴とする。
【００１３】
一方、本発明に係るケーブル巻き取り用リールにおける通電のための接点形成構造の第３実施形態は、ケーブルの巻取り時に回転する回動体と、ケーブルの巻取り時に回転しない固定体に第１及び第２ケーブルがそれぞれ連結され、前記回動体及び固定体には、外部構造体の内径に前記何れか一つのケーブルの端部と連結された複数の環状帯端子または端子ピンが離隔して配設された内径端子部と、前記帯端子または各端子ピンに対応して、内部構造体の外径に他のケーブルの端部と連結された複数の端子ピンまたは環状の帯端子が配設された外径端子部と、がそれぞれ設置され、前記外部構造体及び内部構造体は、内径端子部が外径端子部に外接する形態で互いに結合され、前記第１ケーブルが巻き取られる間にも、前記内径端子部及び外径端子部に配設された各端子ピンと各帯端子との間に回動接点が形成されることで、前記第１及び第２ケーブルの間に電気や信号の導通が生じることを特徴とする。
【００１４】
そして、本発明の第１実施形態に係る接点形成構造を、骨格をなす本体と、該本体に貫通設置され、偏心リンク構造によって進退を繰り返すスプール軸と、該スプール軸を軸として本体の前方に設置され、外周面にケーブルの巻取り領域が形成されたスプールと、ベイルによって案内される第１ケーブルを回動作用を通して前記スプールに巻き取るローターと、前記本体に軸設され、外部操作によって回転しながら前記偏心リンク構造及びローターに作用力を提供する取っ手と、を含んで構成されたスピニングリール形態のケーブル巻取り用リールに適用した本発明に係るケーブル巻き取り用リールは、前記スプール及びスプール軸には、一端に第１及び第２装置部が連結された第１及び第２ケーブルの他端と連結された第１または第２基板がそれぞれ設置され、前記第１基板には、前記何れか一つのケーブルの他端と連結された複数の端子ピンが中心からの離隔距離を互いに異ならせて突出配設され、前記第２基板には、前記他のケーブルの他端と連結された複数の環状端子が前記各端子ピンの離隔距離に対応する半径を有して同心円状に配設され、前記第１基板及び第２基板は、前記各端子ピンと各環状端子とが互いに接触するようにスプール軸を共通中心として対向構造で結合設置され、前記スプールの外周面に第１ケーブルを巻き取る間にも、前記スプール及びスプール軸にそれぞれ設置された前記第１または第２基板に配設された前記各端子ピンと各環状端子との間には、前記第１及び第２ケーブルの間の通電のための回動接点構造が形成されることを特徴とする。
【００１５】
そして、本発明の第３実施形態に係る接点形成構造を、前記スピニングリール形態のケーブル巻き取り用リールに実現した本発明に係るケーブル巻き取り用リールの第１形態は、前記スプール軸に外接するスプールの内径には、一端が第１装置部と連結される前記第１ケーブルの他端と連結された各端子ピンが配設されて内径端子部を形成し、前記スプール軸の内部に中空が形成され、該中空を貫通して一端が第２装置部と連結される第２ケーブルが内設され、前記スプール軸の外径には、前記各端子ピンに対応して、前記第２ケーブルの他端と連結された環状の帯端子が配設されて外径端子部を形成し、前記スプールの外周面に第１ケーブルを巻き取る間にも、前記スプールの内径に形成された内径端子部の各端子ピンと、スプール軸の外径に形成された外径端子部の各帯端子との間には、前記第１及び第２ケーブルの間の通電のための回動接点構造が形成されることを特徴とする。
【００１６】
前記形態のケーブル巻き取り用リールの構成における前記内径端子部は、スプールの内径に直接形成されることもあるが、前記スプールに前記外径端子部に向かって所定形状の設置孔が貫通形成され、前記設置孔には、前記外径端子部の各帯端子に対応して、表面に前記第１ケーブルの他端と連結された複数の端子ピンが配設された挿設体が挟まれることもある。
【００１７】
また、本発明の第３実施形態に係る接点形成構造を、前記スピニングリール形態のケーブル巻取り用リールに実現した本発明に係るケーブル巻取り用リールの第２形態は、一端が第１装置部と連結される前記第１ケーブルの他端には、外周面に前記第１ケーブルの端部と連結された複数の環状帯端子が配設された外径端子部を形成したジャッキが備わり、前記スプール軸の内部に中空が形成され、該中空を貫通して第２装置部と連結される第２ケーブルが内設され、該第２ケーブルの一端には、前記外径端子部の各帯端子に対応して、内周面に複数の端子ピンが配設された内径端子部を備えて、前記ジャッキと結合されるコネクターが形成され、前記スプールの外周面に第１ケーブルを巻き取る間にも、前記コネクターの内周面に形成された内径端子部の各端子ピンと、ジャッキの外周面に形成された外径端子部の各帯端子との間には、前記第１及び第２ケーブルの間の通電のための回動接点構造が形成されることを特徴とする。
【００１８】
一方、本発明の第２実施形態に係る接点形成構造を、骨格をなして開口部が形成された本体と、該本体の開口部内に収容可能に設置され、自体回動しながら外周面に形成されたケーブル巻取り領域に第１ケーブルが巻き取られるように構成されたスプールと、前記本体に軸設され、外部操作によって前記スプールに回動力を提供する取っ手と、を含んで構成されたベイトキャストリール形態のケーブル巻取り用リールに実現した本発明に係るケーブル巻き取り用リールは、前記スプール及び本体には、一端に第１及び第２装置部がそれぞれ連結された第１及び第２ケーブルの他端と連結された回動端子部及び固定端子部がそれぞれ設置され、前記回動端子部は、ホイール部材の外周面に前記何れか一つのケーブルの端部と連結された複数の外周端子が離隔して配設されてなり、前記固定端子部は、前記他のケーブルの端部と連結された各線端子が前記回動端子部の各外周端子に外接する形態で引き出されてなり、前記回動端子部及び固定端子部は、前記回動端子部の各外周端子の外部に固定端子部の各線端子が外接する形態で結合され、前記スプールの外周面に第１ケーブルを巻き取る間にも、前記スプール及び本体にそれぞれ設置された回動端子部及び固定端子部に配設された前記各外周端子と各線端子との間には、前記第１及び第２ケーブルの間の通電のための回動接点構造が形成されることを特徴とする。
【００１９】
また、本発明の第３形態に係る接点形成構造を、前記構造のベイトキャストリール形態のケーブル巻取り用リールに実現した本発明に係るケーブル巻取り用リールの第１形態は、前記スプールの内部に中空が形成され、該中空の内径一側末端には、一端が第１装置部と連結される第１ケーブルの他端と連結された各端子ピンが配設されて内径端子部を形成し、一端が第２装置部と連結される第２ケーブルの他端には、前記中空の一側末端に形成されたジャッキ挿入口に挿入され、前記各端子ピンに対応して、外周面に前記第２ケーブルの端部と連結された複数の環状帯端子が配設された外径端子部を備えるジャッキが形成され、前記スプールの外周面に第１ケーブルを巻き取る間にも、前記スプールの内径に形成された内径端子部の各端子ピンと、前記ジャッキの外周面に形成された外径端子部の各帯端子との間には、前記第１及び第２ケーブルの間の通電のための回動接点構造が形成されることを特徴とする。
【００２０】
一方、前記構成における内径端子部は、スプールに形成された中空内径に直接形成されることもあるが、前記スプールに前記外径端子部に向かって所定形状の設置孔が貫通形成され、前記設置孔には、前記外径端子部の各帯端子に対応して、表面に前記第１ケーブルの他端と連結された複数の端子ピンが配設された挿設体が挟まれることもある。
【００２１】
また、本発明の第３実施形態に係る接点形成構造を、前記構造のベイトキャストリール形態のケーブル巻取り用リールに実現した本発明に係るケーブル巻取り用リールの第２形態は、一端が第１装置部と連結される前記第１ケーブルの他端には、外周面に前記第１ケーブルの端部と連結された複数の環状帯端子が配設された外径端子部を備えるジャッキが形成され、前記スプールの内部に中空が形成され、該中空を貫通して第２装置部と連結される第２ケーブルが内設され、前記第２ケーブルの一端には、前記ジャッキと結合され、前記外径端子部の各帯端子に対応して、内周面に複数の端子ピンが配設された内径端子部が形成されるコネクターを備えており、前記スプールの外周面に第１ケーブルを巻き取る間にも、前記コネクターの内径に形成された内径端子部の端子ピンと、ジャッキの外周面に形成された外径端子部の各帯端子との間には、前記第１及び第２ケーブルの間の通電のための回動接点構造が形成されることを特徴とする。
【００２２】
以上の各構成において、前記第１または第２ケーブルの一端に連結される各装置部は、これらケーブルと直接連結されることもあるが、通常のコネクター構造を初めとする多様な物理的な連結構造によって間接的に連結されることもある。
【００２３】
特に、本体内部、すなわち、スプール軸内の中空やスプール内の中空に第２ケーブルが挿設されるように構成された場合、第２ケーブルの他端には、ジャッキ挿入口が本体の外部に露出されるように本体に固定されたコネクターを連結し、前記コネクターは、前記第２装置部と直接・間接的に連結される第３ケーブルの端部に備わったジャッキと結合されるように構成することができる。このように構成する場合、第２装置部に連結されるケーブルのジャッキを、リールの本体に形成された前記コネクター挿入口に差し込むか、前記コネクター挿入口から抜き取って、簡単に装置部分とリールとを結合または分離することができ、使用の便宜性が大いに向上するようになる。
【００２４】
そして、前記構成において、前記第２ケーブルがスプール軸内の中空を貫通して挿設される場合、スプール軸に固定された端部と本体に固定された端部との間の長さを、スプール軸の進退時の変位を勘案して、スプール軸の最大進出時に必要な直線距離より多少余裕を持たせて設定する。
【発明の効果】
【００２５】
上述した本発明の各構成によると、末端にそれぞれ電気・電子装置が連結されたケーブル間における電気や信号の伝達可能な状態を維持しながら、ケーブル巻取り用リールを使用して、ねじれのない安定した状態で一つのケーブルを容易にリールに巻き取ることができる。
【発明を実施するための最良の形態】
【００２６】
以下、添付の図面に基づいて、本発明の各構成の好ましい実施形態を説明する。しかし、本発明は、これらの実施形態によって限定されるものではない。
【００２７】
[第１実施形態]
図１は、本発明の第１実施形態に係る接点形成構造を説明するための分解斜視図である。以下、図１に基づいて、本発明の第１実施形態に係るケーブル巻取り用リールにおける接点形成構造を詳細に説明する。
【００２８】
本実施形態の接点形成構造１Ａにおいては、ケーブル巻取り用リールの構成要素のうち、ケーブルの巻取りの際に回転する回動体及び回転しない固定体に、互いに断絶した第１及び第２ケーブルＣ１，Ｃ２の端部にそれぞれ連結された第１基板１０及び第２基板２０を互いに対向設置する。よって、回動体の回動時にも、これら基板１０，２０の間に回動接点を形成することで、前記第１及び第２ケーブルＣ１，Ｃ２の間に導通が生じて各種の信号や電気の伝達が可能になる。
【００２９】
図１に示すように、前記第１基板１０には、前記何れか一つのケーブル、例えば、第２ケーブルＣ２に内蔵された信号線や電源線（図示せず）などの各端部にそれぞれ結束された３個の端子ピン１１が、中心１０ａからの離隔距離Ｌ１，Ｌ２，Ｌ３が互いに異なるように突出して配設されている。また、これら端子ピン１１に対向して設置される第２基板２０には、他のケーブルＣ１に内蔵された信号線や電源線（図示せず）の各端部にそれぞれ結束されかつ、前記各端子ピン１１の離隔距離に対応する半径Ｌ１，Ｌ２，Ｌ３を有する３個の環状端子２１が、同心円状に配設されている。図１には、上述したように、端子ピン１１及び環状端子２１がそれぞれ３個ずつ形成されているが、これらの個数は、結束されるケーブルＣ１，Ｃ２に内蔵された線の端部個数によって可変になる。
【００３０】
一方、上記のような構成を有する前記第１基板１０及び第２基板２０は、前記対応する各端子ピン１１と各環状端子２１とが互いに接触するように、相互間の中心１０ａ，２０ａを一致させた状態で対向構造で結合されるが、前記中心１０ａ，２０ａは、回動体（図示せず）の回動中心である。上記のような構成によると、前記第１ケーブルＣ１の巻取り時に回動体が所定角だけ回動するとしても、第１基板１０に配設された端子ピン１１と、これに対応して第２基板２０に配設された環状端子２１とが互いに接触した状態で回動するので、常時、これらの間に接点が形成される。よって、前記端子ピン１１または環状端子２１に各端部が結束された第１及び第２ケーブルＣ１，Ｃ２の間で導通が生じ、各種の信号や電気の受け取りが可能になる。
【００３１】
一方、図１に示すように、前記第１基板１０に配設された各端子ピン１１の後尾にそれぞれ弾性部材１２を設置し、第２基板２０に配設された各環状端子２１側に各端子ピン１１が加圧されるように構成すると、常時、前記各端子ピン１１と各環状端子２１との間で一層緊密な接触状態を維持できるようになる。前記弾性部材１２は、図１に示したコイルスプリング形態を有することが好ましいが、この他に、板スプリングなどの他の形態のスプリングや、ゴムや高弾性の合成樹脂などの自体弾性を有する弾性素材も使用することができる。
【００３２】
図２乃至図３は、本発明の第１実施形態に係る接点形成構造が実際に実現されたスピニングリール形態のケーブル巻取り用リールを例示した図で、図２は、全体構造を示す分解斜視図で、図３は、接点形成構造の部分的な断面構造を拡大して示す図である。
【００３３】
本実施形態に係るスピニングリール１００は、図２に示すように、骨格をなす本体１１０と、該本体１１０に設置され、偏心リンク構造（図示せず）によって進退を繰り返すスプール軸１２０と、該スプール軸１２０上に設置され、外周にケーブル巻取り領域Ｓが設けられたスプール１３０と、ベイル１４１によって案内されるケーブルを、回動作用を通して前記スプール１３０の巻取り領域Ｓに巻き取るローター１４０と、本体１１０に回動軸構造で設置され、外部操作によって前記偏心リンク構造とローター１４０とを連動させる作用力を提供する取っ手１５０と、を含んで構成される。
【００３４】
上記のように構成されたスピニングリール１００において、スプール軸１２０は、ケーブルの巻取り時に回転しない。さらに、前記スプール１３０は、通常、取っ手１５０の回転によってケーブルを巻き取る時に回動しないが、必要に応じて、使用者がスプール１３０を直接掴んで、スプール軸１２０を回動軸として回動させてケーブルを巻き取ることもできる。したがって、本実施形態では、上記のようなケーブルの巻取り時、回動体であるスプール１３０に端部が結束された第１ケーブルＣ１の他端には、撮影モジュール（図示せず）が連結され、固定体であるスプール軸１２０に端部が固定された第２ケーブルＣ２の他端には、ディスプレイモジュール（図示せず）が連結される。そして、撮影モジュールから出力される信号をディスプレイモジュールに伝送するために、これらスプール１３０とスプール軸１２０との間に本発明の第１実施形態に係る接点構造１Ａを設け、前記第１ケーブルＣ１と第２ケーブルＣ２との間の導通を可能にする。
【００３５】
よって、本実施形態によると、前記固定体であるスプール軸１２０には第１基板１０が設置され、前記回動体であるスプール１３０には第２基板が設置される。ここで、第１基板１０には、第２ケーブルＣ２に内蔵された各線の端部とそれぞれ連結された各端子ピン１１が配設されており、第２基板２０には、前記第１基板１０に対向して、第１ケーブルＣ１に内蔵された各線の端部とそれぞれ連結された各環状端子２１が配設されている。
【００３６】
上記のように構成すると、スプール１３０が外力や使用者の任意操作によって所定角だけ回動する場合も、常時、第１基板１０に配設された端子ピン１１と第２基板２０に配設された環状端子２１との間に接点が形成される。したがって、第１ケーブルＣ１と第２ケーブルＣ２との間に導通が生じ、これらの間における信号や電気の伝達が可能になる。すなわち、前記第１ケーブルＣ１を巻取りながらも、第１ケーブルＣ１の他端に連結された撮影モジュール（図示せず）から得た映像信号を、第２ケーブルＣ２の他端に連結されたディスプレイモジュール（図示せず）に安定的に伝送して表示することができる。また、第２ケーブルＣ２の他端に連結されたディスプレイモジュールに内蔵されたバッテリ（図示せず）の電源を、第１ケーブルＣ１の他端に連結された撮影モジュールに供給することができる。ここで、撮影モジュールなどの電気・電子装置は、前記第１ケーブルＣ１及び第２ケーブルＣ２の他端に直接連結されうるが、これら装置と前記第１及び第２ケーブルの端部は、当然に、通常のコネクター構造を通しても連結されうる。
【００３７】
また、本実施形態によると、図３に示すように、前記第１基板１０の背面から所定間隔だけ離隔した位置には、支持板１３が設置される。また、第１基板１０に配設された各端子ピン１１の後尾１１ａには、前記支持板１３によって支持されたコイルスプリング形態の弾性部材１２が設置され、この弾性部材１２によって、前記各端子ピン１１が第２基板２０側に弾支される。したがって、前記各端子ピン１１は、常時、突出しようとする指向を有するようになり、第２基板２０に配設された各環状端子２１を加圧しながらこれらと常に緊密な接点を形成する。
【００３８】
[第２実施形態]
図４及び図５は、本発明の第２実施形態に係る接点形成構造を説明するための分解斜視図及び結合状態図である。以下、図４及び図５に基づいて、本発明の第２実施形態に係るケーブル巻取り用リールにおける接点形成構造を詳細に説明する。
【００３９】
本発明の第２実施形態に係るケーブル巻取り用リールにおける接点形成構造１Ｂも、第１実施形態と同様に、ケーブル巻取り用リールの構成要素のうち、ケーブルの巻取り時に回転する回動体及び回転しない固定体にそれぞれ連結され、互いに断絶した第１及び第２ケーブルＣ１，Ｃ２の間の巻取り時にも、信号や電気などの導通状態を維持させるものである。
【００４０】
ただし、本実施形態によると、図４乃至図５に示すように、前記ケーブルの巻取り時に回転する回動体には、回動端子部３０が設置され、前記ケーブルの巻取り時に回転しない固定体には、固定端子部４０が設置される。ここで、回動端子部３０には、第１ケーブルＣ１の端部と連結された３個の外周端子３１が、ホイール部材３０ａの外周面に離隔して配設される。また、固定端子部４０には、第２ケーブルＣ２の端部と連結されかつ、前記回動端子部３０の各外周端子３１に外接する３個の線端子４１が、Ｌ字状の基板部材４０ａの底面から引き出される。
【００４１】
ここで、これら外周端子及び線端子の個数は、連結される第１及び第２ケーブルに内蔵された各線の個数によって可変になる。
【００４２】
そして、前記ホイール部材３０ａの外周面に配設された外周端子３１と、Ｌ字状の基板部材４０ａから引き出された線端子４１の反対側端部は、第１または第２ケーブルの端部と直接連結されうるが、図面には、コネクター３２，４２を通して第１ケーブルＣ１及び第２ケーブルＣ２の端部と結束されている。
【００４３】
一方、図５に示すように、前記固定端子部４０から引き出された線端子４１は、Ｃ字状に弾性を有して製作され、前記ホイール部材３０ａの外周面に配設された外周端子３１の全体長さの相当部分を取り囲んでいる。また、図６に示すように、線端子４１が外周端子３１の外周面にワンタッチ式で挟まれて結合されることで、線端子４１と外周端子３１との間の接点が一層安定的に形成される。
【００４４】
図６は、本発明の第２実施形態に係る接点形成構造が実際に実現されたベイトキャストリール形態のケーブル巻取り用リールを例示した分解斜視図である。以下、図６に基づいて、本発明の第２実施形態に係る接点形成構造が実現されたケーブル巻取り用リールを説明する。
【００４５】
本実施形態に用いられたベイトキャストリール２００は、ケーブルの巻取り時に回転しない固定体をなし、開口部２１１が形成された本体２１０と、前記開口部２１１に収容されるように設置され、外周にケーブル巻取り領域Ｓが設けられたスプール２２０と、前記本体２１０に軸設され、前記スプール２２０に回動力を提供する取っ手２３０と、を含んで構成される。そして、第１ケーブルＣ１は、移送軸２４１の回動によって左右に往復移送を行い、前記開口部２１１上にスプール２２０と平行に設置された案内具２４０によって左右に移送されながら、前記スプール２２０の外周面に巻き取られる。
【００４６】
本実施形態では、上記のような構造のベイトキャストリール２００において、前記ケーブルの巻取り時に、回転しない本体２１０及び回転するスプール２２０をそれぞれ固定体及び回動体とし、本発明の第２実施形態に係る接点形成構造１Ｂが実現される。また、この接点形成構造１Ｂにより、スプール２２０に巻き取られる第１ケーブルＣ１と、固定されている第２ケーブルＣ２との間における信号や電気などの伝達が可能になる。
【００４７】
すなわち、前記回動体であるスプール２２０の一側には、回動端子部３０が設置され、前記固定体である本体２１０には、固定端子部４０が設置される。ここで、前記回動端子部３０には、ホイール部材３０ａの外周面に第１ケーブルＣ１の端部と連結された外周端子３１が互いに離隔して配設されており、前記固定端子部４０には、第２ケーブルＣ２の端部と接続された線端子４１がＬ字状の基板から引き出されている。
【００４８】
上記のように形成された回動端子部３０と固定端子部４０とを結合すると、前記固定端子部４０の線端子４１が回動端子部３０の外周端子３１に外接した状態になる。図面を参照すると、前記線端子４１は、前記外周端子３１を全体的に取り囲むＣ字状をなし、前記外周端子３１との安定的な接点を形成するように構成される。
【００４９】
上記のような構成によると、取っ手２３０の操作によってスプール２２０が連続的に回動する場合も、ホイール部材３０ａの外周面に配設された回動端子部３０の外周端子３１及び固定端子部４０の線状端子４１は、常時、接続状態を維持することで、第１及び第２ケーブルＣ１，Ｃ２の間における信号及び電気の安定的な導通が可能になる。
【００５０】
[第３実施形態]
図７及び図８は、本発明の第３実施形態に係る接点形成構造を説明するための正断面図及び側断面図である。以下、図７及び図８に基づいて、本発明の第３実施形態に係るケーブル巻取り用リールにおける接点形成構造を詳細に説明する。
【００５１】
本実施形態の接点形成構造１Ｃにおいて、ケーブル巻取り用リールの構成要素のうち、ケーブルの巻取り時に、回転する回動体及び回転しない固定体は、それぞれ互いの内径と外径とが近接する外部構造体５０ａ及び内部構造体６０ａを構成する。また、内部構造体６０ａの外径または外部構造体５０ａの内径には、第１及び第２ケーブルＣ１，Ｃ２の端部がそれぞれ連結された外径端子部６０及び内径端子部５０を形成し、回動体の回動時にも、これら外径端子部６０と内径端子部５０との間に回動接点が形成されることで、前記第１及び第２ケーブルＣ１，Ｃ２の間に導通が生じ、各種の信号や電気の伝達が可能になる。
【００５２】
このために、前記外部構造体５０ａの内径及び内部構造体６０ａの外径にそれぞれ形成される内径端子部５０及び外径端子部６０には、図７乃至図８に示すように、前記何れか一つのケーブルＣ１，Ｃ２に内設された信号線及び電源線などの各線の端部と連結された複数個の環状の帯端子６１または端子ピン５１が、前記外部構造体５０ａまたは内部構造体６０ａの円筒状の内径または外径に沿って離隔して配設される。
【００５３】
このとき、前記複数の端子ピン５１及び帯端子６１は、内部構造体６０ａまたは外部構造体５０ａの外径または内径にそれぞれ配設される。すなわち、図７及び図８に示すように、内径端子部５０は、４個の端子ピン５１からなり、外径端子部６０は、これに対応して４個の環状帯端子６１からなる。また、上記のように形成された内径端子部５０及び外径端子部６０において、内径端子部５０の帯端子または端子ピンが外径端子部の端子ピンまたは各帯端子に外接するように、外部構造体５０ａの内部に形成された円筒状の中空には、円筒状の内部構造体６０ａが貫通・挿入される。
【００５４】
そして、前記外部構造体５０ａまたは内部構造体６０ａは、それぞれ固定体または回動体になる。
【００５５】
以上説明した接点形成構造１Ｃによると、図８に示すように、外部構造体５０ａを構成する回動体が矢印方向に回動しながら、回動体に連結された第１ケーブルＣ１が巻き取られる間にも、各端子ピン５１が各帯端子６１の外周面に沿って移動することで、これらの間に回動接点が連続的に形成される。そのため、第１及び第２ケーブルＣ１，Ｃ２の間に導通が生じ、これらの間における電気や信号の安定的な伝達が可能になる。
【００５６】
一方、図９乃至図１３は、本発明の第３実施形態に係る接点形成構造が実際に実現されたスピニングリール形態のケーブル巻取り用リールを例示した図である。以下、図９乃至図１３に基づいて、本発明の第３実施形態に係る接点形成構造を備えたケーブル巻取り用リールを説明する。
【００５７】
まず、図９は、スピニングリール３００の断面構造の一例を示す図である。図示したように、本実施形態に係るスピニングリール３００も、基本的な骨格をなす本体３１０と、該本体３１０に設置され、偏心リンク３１１構造によって進退を繰り返すスプール軸３２０と、該スプール軸３２０上に設置され、外周にケーブル巻取り領域Ｓが設けられたスプール３３０と、ベイル３４１によって案内されるケーブルを、回動作用を通して前記スプール３３０の巻取り領域Ｓに巻き取るローター３４０と、本体３１０に回動軸３５０ａ構造で設置され、外部操作によって前記偏心リンク３１１構造とローター３４０とを連動させる作用力を提供する取っ手３５０と、を含んで構成される。
【００５８】
図面から見ると、前記偏心リンク３１１及び 回動軸３５０ａは、平ギア３１２構造であり、ローター３４０及び 回動軸３５０ａは、ヘリカルギア３１３構造でそれぞれ噛合されている。よって、このような噛合構造により、前記取っ手３５０に加えられた作用力は、偏心リンク３１１構造及びローター３４０にそれぞれ伝達される。そして、前記スプール軸３２０の先端部にドラックノブ３６０が備わることで、スプール軸３２０からスプール３３０が離脱される現象を防止できるようになる。
【００５９】
そして、本実施形態によると、前記スプール軸３２０は、内部に中空３２０ａが形成された中空管状をなしており、このスプール軸３２０の中空３２０ａには、一端にコネクター６２が設けられた第２ケーブルＣ２が貫通・設置される。このとき、前記第２ケーブルＣ２の後尾部分Ｃ２ａは、図面に示すように、スプール軸３２０の外部に露出され、コネクター６２は、本体３１０の外部に露出された形態で本体３１０上に固定設置される。例えば、露出されたコネクター６２が、ディスプレイモジュール（図示せず）と直接連結された第３ケーブルＣ２'の端部に備わるジャッキ６３と結合されることで、第３ケーブルＣ２'と連結されるように構成される。
【００６０】
一方、前記第２ケーブルＣ２の他端には、前記第２ケーブルＣ２に内設された電源線及び信号線などの各線の端部を、スプール軸３２０の外径に配設された各帯端子６１と連結されるように露出させることで、外径端子部６０を形成している。そして、これら帯端子６１に対応して、これらと隣接したスプール３３０の内周面には、他端に撮影モジュールなどが直接・間接的に連結される第１ケーブルＣ１に内設された電源線及び信号線などの各線の端部を、各端子ピン５１と連結されるように配設させることで、内径端子部５０を形成している。
【００６１】
したがって、スプール３３０にスプール軸３２０が挿入された状態では、第１ケーブルＣ１がスプール３３０の外周面に巻き取られながら端部に回動力が加えられても、スプール３３０の内周面に形成された内径端子部５０の各端子ピン５１が、スプール軸３２０の外径に形成された外径端子部６０の各帯端子６１に沿って移送されるため、内径端子部５０と外径端子部６０との間の接続が維持される。よって、第１ケーブルＣ１と連結ケーブルＣ３との間の導通状態が維持されることで、これらケーブルに直接・間接的に連結された外部の各種の電気・電子装置（図示せず）の間における信号及び電気の伝達が可能になる。
【００６２】
一方、上述したように、取っ手３５０の回転によってスピニングリールの巻取り作用が行われるときは、スプール軸３２０が前後に所定距離だけ往復移送を行う。そのため、スプール軸３２０の進退によって発生する短絡問題を回避するためには、図面に示すように、スプール軸３２０から抜け出た第２ケーブルの後尾部分Ｃ２ａは、前記スプール軸３２０の前後移送距離より多少長く余裕をおいて、スプール軸３２０が最大限に進出したときも、第２ケーブルが引かれながらコネクター６２とジャッキ６３との間の結合が分離されることを防止する。
【００６３】
図１０は、上述した一例に若干の変更を加えた他の例を示す図である。
【００６４】
図１０に示したスピニングリール３００’は、前記一例に示したスピニングリール３００とほぼ同一である。ただし、スプール３３０'の内周面に形成された内径端子部５０'がスプール３３０'の本体に形成された設置孔に、第１ケーブルＣ１の端部と連結された挿設体５２が挿設される。
【００６５】
以下、上記のような構造を、図１０のＢ部分を拡大して示した図１１及び図１２に基づいて一層詳細に説明する。
【００６６】
すなわち、図１１及び図１２に示すように、前記スプール３３０'の本体には、上述した一例と同様に、スプール軸３２０に形成された外径端子部６０の各帯端子６１を外部に露出させるための設置孔３３１が形成される。また、この設置孔３３１には、挿設体５２が挿設され、この挿設体５２には、前記第１ケーブルＣ１に内設された各線の端部と連結された端子ピン５１'が前記各帯端子６１に対応して突出・配設される。よって、前記内径端子部５０と前記外径端子部６０との間に相互の接点が形成される。したがって、前記各帯端子６１に端部が連結された第２ケーブルＣ２と、前記各端子ピン５１'に端部が連結された第１ケーブルＣ１との間では、第１ケーブルＣ１が巻き取られる間にも互いに導通が生じ、電気及び信号などの伝達が可能になる。
【００６７】
図１３は、上述した一例に若干の変更を加えたさらに他の例を示す図で、図１３に示したスピニングリール３００”も、前記一例に示したスピニングリール３００とほぼ同一である。
【００６８】
ただし、前記スプール軸３２０の内部に中空３２０ａが形成され、該中空３２０ａを貫通して、両端にコネクター６２，６４が備わった第２ケーブルＣ２が設置される。前記コネクター６２，６４は、図面に示すように、ジャッキ挿入口が外部に露出された形態で設置され、第１ケーブルＣ１または第３ケーブルＣ２'の端部に備わったジャッキ６５，６３の挿入を通して、これらケーブルＣ１，Ｃ２が連結されるように構成される。
【００６９】
ここで、スプール３３０の外周面に巻き取られる第１ケーブルＣ１と連結される側のコネクター６４の内径には、第２ケーブルＣ２の端部と連結された各端子ピンが配設された内径端子部５０”が形成され、第１ケーブルＣ１の端部に連結されたジャッキ６５には、外径に前記端子ピンに対応する各帯端子６１が配設された外径端子部６０"が形成される。よって、前記スプール３３０の回動によって第１ケーブルＣ１を巻き取る間にも、前記内径端子部５０”と外径端子部６０”の各端子間に回動接点が形成されるため、第１及び第２ケーブルＣ１，Ｃ２の間に導通が維持され、これらケーブルの末端に連結される電気・電子装置（図示せず）の間における信号及び電気などの伝達が可能になる。
【００７０】
図１４及び図１５は、本発明の第３実施形態に係る接点形成構造が実際に実現されたベイトキャストリール形態のケーブル巻取り用リールを例示した図である。以下、図１４及び図１５に基づいて、本発明の第３実施形態に係るベイトキャストリール形態のケーブル巻取り用リールの各例を説明する。
【００７１】
まず、図１４は、ベイトキャストリール４００の断面構造の一例を示す図である。本実施形態のベイトキャストリール４００において、骨格をなす本体４１０に形成された開口部４１１には、自体回動しながら外周面に形成されたケーブル巻取り領域Ｓにケーブルが巻き取られるスプール４２０が収容設置されており、前記本体４１０には、外部操作によって前記スプール４２０に回動力を提供する取っ手４３０が軸設されている。
【００７２】
前記スプール４２０の外周面に巻き取られる第１ケーブルＣ１は、移送軸４４１の回動によって左右に往復移送を行い、前記開口部４１１上にスプール４２０と平行に設置された案内具４４０によって左右に移送されながら巻き取られる。
【００７３】
一般的に、上記のようなベイトキャストリール４００においては、前記スプール４２０、取っ手４３０及び移送軸４４１は、本体の一側に形成されたギア構造４５０によって噛合されて連動される。
【００７４】
そして、本実施形態によると、前記スプール４２０の内部に中空４２０ａが形成され、前記スプール４２０の内径には、前記第１ケーブルＣ１に内設された各線の端部と連結された４個の端子ピン５１が中空４２０ａに向かって露出され、内径端子部５０を形成している。また、前記中空４２０ａの一側末端と連結された本体には、ジャッキ挿入口４１０ａが形成されている。このジャッキ挿入口４１０ａには、第２ケーブルＣ２の端部と連結され、前記内径端子部５０に対応する各帯端子からなる外径端子部６０"'が形成された円筒状のジャッキ６５が挿入される。
【００７５】
したがって、本実施形態に係るベイトキャストリール４００においては、前記スプール４２０を回動させながら、その外周面に前記第１ケーブルＣ１を巻き取る間にも、前記第１ケーブルＣ１の端部が固定され、前記スプール４２０の内径に形成された内径端子部５０と、第２ケーブルＣ２の端部に備わったジャッキ６５に形成された外径端子部６０"'との間には、回動接点構造が形成される。よって、前記第１及び第２ケーブルＣ１，Ｃ２の間に導通が生じ、電気や信号の伝達が可能になる。
【００７６】
図１５は、前記一例に若干の変更を加えた他の例を示す図で、本実施形態のベイトキャストリール４００’も、前記一例に示したベイトキャストリール４００とほぼ同一である。
【００７７】
ただし、本実施形態のベイトキャストリール４００'においては、前記スプール４２０の内部に中空４２０ａが形成され、該中空４２０ａを貫通して第２ケーブルＣ２が設置される。前記第２ケーブルＣ２の両端には、前記本体４１０にそれぞれ固定されたコネクター６４，６２が連結され、これらコネクター６４，６２は、電気や信号の入出力のための第１及び第３ケーブルＣ１，Ｃ２'の各端部に備わったジャッキ６５，６３と結合される。このとき、前記スプール４２０に巻き取られる第１ケーブルＣ１が回動するため、この第１ケーブルＣ１と連結される側のコネクター６４の内径には、第２ケーブルＣ２の端部と連結された各端子ピンが配設された内径端子部５０""が形成され、第１ケーブルＣ１の端部に連結されたジャッキ６５の外径には、前記各端子ピンに対応して、第１ケーブルＣ１の端部と連結された各帯端子が配設された外径端子部６０""が形成される。
【００７８】
したがって、前記スプール４２０を回動させながら第１ケーブルＣ１を巻き取る間にも、前記コネクター６４及びジャッキ６５に形成された内径端子部５０""及び外径端子部６０""の各端子ピンと各帯端子との間に回動接点が形成される。そのため、前記第１及び第２ケーブルＣ１，Ｃ２の間に導通が生じ、これらの他端とそれぞれ連結された電気・電子装置の間における電気及び信号などの伝達が可能になる。
【産業上の利用可能性】
【００７９】
本発明に係る接点形成構造を備えたケーブル巻取り用リールによると、上述したように、各種の信号及び電気を伝達するケーブルの導通状態を維持させながら、ねじれが発生しないようにケーブルを巻き取ることができる。例えば、水中カメラが内蔵された重りを一端に連結し、前記水中カメラで撮影した映像をディスプレイするディスプレイモジュールを他端に連結した（多機能）ケーブルを釣り糸に使用して釣り竿に付着することで、使用者は、通常の釣りの場合と同様に、ケーブルの巻き取り・解きを繰り返しながら釣りを楽しむことができる。
【００８０】
また、本発明は、上記のような釣り装備の他にも、水中や地中などのように人が直接入って観察しにくい場所に装備を投入し、撮影や計測を行うときに用いられる各種の装備において、水中や地中に投入する装備と、外部からモニタリングや制御を行うために使用する装備との間を連結するケーブルを巻き取るための巻取り用リールなどのように、回動体及び固定体に連結されるケーブル間に通電構造を要する各種装備の接点構造を形成するにおいて採用可能である。
【図面の簡単な説明】
【００８１】
【図１】本発明の第１実施形態に係る接点形成構造を説明するための分解斜視図である。
【図２】本発明の第１実施形態に係る接点形成構造が実現されたスピニングリール形態のケーブル巻取り用リールを例示した図で、全体構造を示す分解斜視図である。
【図３】本発明の第１実施形態に係る接点形成構造が実現されたスピニングリール形態のケーブル巻取り用リールを例示した図で、接点形成構造の部分的な断面構造を拡大して示す図である。
【図４】本発明の第２実施形態に係る接点形成構造を説明するための分解斜視図である。
【図５】本発明の第２実施形態に係る接点形成構造を説明するための結合状態図である。
【図６】本発明の第２実施形態に係る接点形成構造が実現されたベイトキャストリール形態のケーブル巻取り用リールを例示した分解斜視図である。
【図７】本発明の第３実施形態に係る接点形成構造を説明するための正断面図である。
【図８】本発明の第３実施形態に係る接点形成構造を説明するための側断面図である。
【図９】本発明の第３実施形態に係る接点形成構造が実現されたスピニングリール形態のケーブル巻取り用リールの一例を示す断面構造図である。
【図１０】本発明の第３実施形態に係る接点形成構造が実現されたスピニングリール形態のケーブル巻取り用リールの他の例を示す断面構造図である。
【図１１】図１０に示したケーブル巻取り用リールのＢ部分の構造を説明するための分解斜視図である。
【図１２】図１０に示したケーブル巻取り用リールのＢ部分の構造を説明するための側断面構造図である。
【図１３】本発明の第３実施形態に係る接点形成構造が実現されたスピニングリール形態のケーブル巻取り用リールのさらに他の例を示す断面構造図である。
【図１４】本発明の第３実施形態に係る接点形成構造が実現されたベイトキャストリール形態のケーブル巻取り用リールの一例を示す断面構造図である。
【図１５】本発明の第３実施形態に係る接点形成構造が実現されたベイトキャストリール形態のケーブル巻取り用リールの他の例を示す断面構造図である。
【図１】
2007537571.tif 000003
【図２】
2007537571.tif 000004
【図３】
2007537571.tif 000005
【図４】
2007537571.tif 000006
【図５】
2007537571.tif 000007
【図６】
2007537571.tif 000008
【図７】
2007537571.tif 000009
【図８】
2007537571.tif 000010
【図９】
2007537571.tif 000011
【図１０】
2007537571.tif 000012
【図１１】
2007537571.tif 000013
【図１２】
2007537571.tif 000014
【図１３】
2007537571.tif 000015
【図１４】
2007537571.tif 000016
【図１５】
2007537571.tif 000017
【国際調査報告】
2007537571.tif 000018
2007537571.tif 000019